(57)【要約】【課題】本発明は土壌中のフサリウムなどの植物病原菌を無農薬で随時に必要な汚染土壌の深さまでおこなう土壌清浄化材を得ることである。【解決手段】本発明は二段階で行う。初めに対称の汚染土壌を電導発熱体を用いて所定温度まで加熱しその温度を維持する。次に、銀または銅の抗菌性微粒子を溶液に混合し、この溶液を粒度調整した不溶性多孔質粒子に付着担持して、この抗菌性微粒子又は多孔質粒子を透水性不織布に塗着したことを特徴とする土壌清浄化材を用いて浄化済土壌を防護する。【選択図】  図３
2018119254.tif 000002
【特許請求の範囲】
【請求項１】
銀または銅の抗菌性微粒子を溶液に混合したA液を透水性不織布材に塗着した、透水性
不織布。
【請求項２】
銀または銅の抗菌性微粒子を溶液に混合したA液を透水性不織布材に塗着し、前記A液を粒度調整した不溶性多孔質粒子に付着担持したB粒子を、前記A液の硬化前に前記透水性不織布材に付着した、透水性不織布。
【請求項３】
請求項２において、前記抗菌性微粒子は、粒径が数nmから数１０nmであり、前記Ａ液は、１０００ポイズ以下に粘度調整した有機系または無機系の溶液に１００PPMから２００PPMの濃度に混合したものであり、前記Ｂ粒子は、前記Ａ液を数μmから数千μｍの粒径に調整した前記不溶性多孔質粒子に付着担持したものであり、前記透水性不織布材は、１０mm以下の厚みである透水性不織布。
【請求項４】
請求項２において、前記B粒子は、前記A液を前記不溶性多孔質粒子に塗着した粒径１cm以下のものである、透水性不織布。
【請求項５】
請求項１〜４のいずれかの透水性不織布材または抗菌性微粒子と共に、炭素繊維を含む電導発熱体、または前記電導発熱体を包含した筐体により、土壌温度を摂氏６０度から摂氏７５度、好ましくは摂氏６５度から摂氏７０度に３時間以上、好ましくは６時間以上加熱して土壌の長期浄化維持を行う植物病害菌の浄化方法。
【発明の詳細な説明】
【技術分野】
【０００１】
本発明は土壌内菌清浄化材に関する。
【背景技術】
【０００２】
本発明は農園芸分野において黴菌、糸状菌等の土壌菌を防除する際に、作業時においての土壌菌浄化効果のみだけでなく人畜にたいして安全に作業出来かつ効果が長期間有効な浄化手段を提供するものである。
【先行技術文献】
【特許文献】
【０００３】
【特許文献１】特開平７−６９８１４
【発明の概要】
【発明が解決しようとする課題】
【０００４】
土壌中のフサリウムなどの有害糸状菌対策は多種の農作物栽培にとって重要であり長期間にわたり安全且つ有効な方策の策定は重要で必要な課題である。
【０００５】
在来の解決手段では農薬による燻蒸殺菌浄化、蒸気配管による土壌の加熱法、太陽熱殺菌浄化法などが存在する。
【０００６】
それぞれの対策法は短期的には有効な方法であるが燻蒸殺菌では毎年の農薬散布から生じる農地近隣への薬害気化と残留農薬が課題とされる。
【０００７】
蒸気管加熱法では有害菌浄化に有効な土壌温度の均一性の維持管理と設備費用が問題である。
【０００８】
つまり、蒸気管加熱法では有害糸状菌の浄化に適正な温度６０度から７０度の範囲に均一に対象土壌を加熱する温度の維持管理が困難で必要以上に加熱して有効菌をも浄化してしまうなどが課題である。
【０００９】
太陽熱殺菌浄化では有害菌浄化に必要な温度を土壌表面から十分な深さまで得られないことと農閑期に行われることが多く十分な日射量が安定しないことで殺菌に数週間の時間を要している。
【００１０】
在来の各対策は共通の欠点として当該有害菌の再侵入防止対策が無く、または土中深くに存在する有害菌の再活性に対しての十分な防止対策が困難であり、これまでは長期間有効な有害菌浄化効果の維持を得られないことが課題である。
【００１１】
本発明は、以上のような従来の対策の欠点に鑑み、燻蒸殺菌法のような薬害の懸念が無く、陽熱浄化殺菌法のように農閑期に浄化するなどと時期に関係なくいつでも浄化作業が行え、太陽熱殺菌法のような深さの制約を受けないで、病原菌の浄化に必要な深さまでの土壌を浄化出来て、蒸気管加熱法のような設備投資費、維持運転費を要しない、浄化の有効な期間を長くするために病原菌の再活性化と侵入を防止することができる土壌内浄化材を提供することを目的としている。
【課題を解決するための手段】
【００１２】
前記の課題を解決するために、本発明は、銀または銅の抗菌性微粒子を溶液に混合したA液を透水性不織布材に塗着した透水性不織布とする。（請求項１）
【００１３】
また、前記の課題を解決するために、本発明は、銀または銅の抗菌性微粒子を溶液に混合したA液を透水性不織布材に塗着し、前記A液を粒度調整した不溶性多孔質粒子に付着担持したB粒子を、前記A液の硬化前に前記透水性不織布材に付着した透水性不織布とする。（請求項２）
【００１４】
また、前記の課題を解決するために、本発明は、請求項２において、前記抗菌性微粒子は、粒径が数nmから数１０nmであり、前記Ａ液は、１０００ポイズ以下に粘度調整した有機系または無機系の溶液に１００PPMから２００PPMの濃度に混合したものであり、前記Ｂ粒子は、前記Ａ液を数μmから数千μｍの粒径に調整した前記不溶性多孔質粒子に付着担持したものであり、前記透水性不織布材は、１０mm以下の厚みである透水性不織布とする。（請求項３）
【００１５】
また、前記の課題を解決するために、本発明は、請求項２において、前記B粒子は、前記A液を前記不溶性多孔質粒子に塗着した粒径１cm以下のものである透水性不織布とする。（請求項４）
【００１６】
また、前記の課題を解決するために、請求項１〜４のいずれかの透水性不織布材または抗菌性微粒子と共に、炭素繊維を含む電導発熱体、または前記電導発熱体を包含した筐体により、土壌温度を摂氏６０度から摂氏７５度、好ましくは摂氏６５度から摂氏７０度に３時間以上、好ましくは６時間以上加熱して土壌の長期浄化維持を行う植物病害菌の浄化方法とする。
【発明の効果】
【００１７】
燻蒸殺菌法や蒸気管殺菌法や太陽熱殺菌法と比べて無農薬で随時に必要な深さまで浄化が出来る。本発明は、燻蒸殺菌法のような薬害の懸念が無く、太陽熱浄化殺菌法のような時期的な制約なく、いつでも浄化作業が行え、太陽熱殺菌法のような有効深さの限度制約を受けないで、病原菌の浄化に必要な深さまでの土壌を浄化出来て、蒸気管加熱法のような設備投資費、維持運転費を要しない、かつ浄化後の土壌内において病原菌の再活性化と浄化区域外からの侵入を防止することができる。フサリウム菌属を浄化するだけでなく土壌を豊かにする枯草菌などのバクテリア細菌を増加する結果を期待できる。
発熱体を用いて任意の範囲で土壌加熱を行うことで在来の手段より短時間に天候に左右されずに随時に無農薬で対象土壌を浄化出来る。
本発明による土壌を６５度乃至７０度にて６時間熱処理する無農薬加熱法はフサリウム菌属の糸状菌を減少することが出来る一方で、その他の糸状菌、土壌醸成に良いバクテリア細菌が増加すること出来る。
透水性不織布で浄化区域と非浄化区域を区分して土壌病原菌の侵入を防護できる。
【図面の簡単な説明】
【００１８】
【図１】本発明の不織布の構成要素を表す図  不織布繊維と抗菌性金属微粒子が直接付着する部分と多孔質微粒子Bが不織布繊維に付着した状態
【図２】浄化作業対象区域(e)と対象区域外（h）との境界に設置する不織布(ｄ)を示す図
【図３】浄化作業区域（e）傍らに設置した加熱用筐体（g）断面略図と本発明の不織布(d) を示す図
【図４】浄化作業区域（e）内に散布混合した多孔質粒子体（b）と本発明の不織布(d) を示す図
【図５】熱処理に伴う土壌中の各種菌群の菌数の変化
【図６】DNAによるフサリウム菌の存在の簡易同定
【図７】黴菌に対するMIC測定試験成績
【発明を実施するための形態】
【００１９】
本発明は二段階で行う。はじめの段階は土壌加熱工程であり、対象とする土壌を加熱して有害菌を浄化するために発熱体を設置する。発熱体は効率よくするために導電性炭素繊維を用いる。発熱体の設置の方法は土中に直接適正な間隔に配置するか、または対象とする土壌を発熱体を内包する筐体に移す。この場合は土壌を浄化後戻す。
有効な発熱温度である６５度から７０度の土中温度を得るためには土壌成分により発熱体の間隔を管理する。加熱時間は通電時間により管理する。
【００２０】
次の段階は浄化の維持工程である。浄化区域外から菌の再侵入汚染防止や土中残留胞子の再活性を防止するために対象土壌区域と区域外との境界に本発明による透水性不織布で遮断して防御壁を設ける。
【００２１】
この遮断防御機能の透水性不織布には銅または銀の数nmから数１０nmサイズにした微粒子が好ましく、この微粒子を溶液状に混合し，これをA液と称す。
【００２２】
透水性不織布に塗着するA液は２００ポイズから５００ポイズの粘度の接着性溶液である。
【００２３】
このA液を好ましくは数μｍから数百μmに粒度調整した牡蠣殻や火山灰などの多孔質粒子に塗着してこれをB粒子と称し、この多孔質B粒子を更に厚み１０mm以下の透水性不織布にA液を用いて空隙構造に塗着する。この透水性不織布を遮断防御材とする。
【００２４】
以下、本発明の実施の形態を図に基づいて説明する。
図１は本発明の透水性不織布であり遮断防護に使用するものの構成である。図２は浄化処理後に病原菌の侵入を防護するために透水性不織布を配置する。図３に示すgは加熱用筐体略図である。筐体内部に発熱伝熱体を５ＣＭ毎に水平方向と垂直方向に配置してある場合の断面図である。
対象とする土壌を筐体に移転して加熱するためのものである。
【実施例１】
【００２５】
次に、土壌加熱による土壌菌の浄化状態の試験実施例を示す。
内容積２２Lの筐体に発熱電線を張り巡らせ、１００V交流電流を通じることで摂氏７０度まで内部の土壌を処理することができる。供試した微生物菌種は土壌病原菌の中からフサリウム菌属の「Fusarium oxysporumNBRC31631」と「Fusarium oxysporumMAFF306716」を選んだ。
この種は新パナマ病の原因菌であるF.oxysporum TR4と近似である。
【００２６】
土壌は園芸用赤玉土と完熟腐葉土を１対１で混合したものを約２２L加熱筐体に投入した。温度計により土壌の表面温度を測定するとともに、棒温度計を用いて、土壌の１０か所について経時的な温度変化を測定した。筐体内の土壌温度分布を６５度から７０度にして６時間加熱継続した。
【００２７】
次に、菌数の評価方法について説明する。
F.oxysporumを８０Lの１/２YPD液体培地（２％glucose,1%Polypepton,0.5%yeast extract pH6.5）にて２日間培養して、これを土壌２０Lに混合した。
【００２８】
熱処理前後の土壌を各１０箇所から採取し、等量の減菌蒸留水に懸濁し、蒸留水で２段階希釈して、０．１Lを１/2YPD寒天培地（2%glucose 1%Polypepton 0.55 yeast extract  1.5 agar ）に塗布して、２８度Cで２日間培養した。Fusariumと思われる糸状菌のコロニー、それ以外の真菌類と思われるコロニー、細菌と思われるコロニーをカウントして、CFUであらわした。
【００２９】
次に、PCR法によるフサリウム菌の確認について説明する。
F.oxysporum のリゾホームDNAのITSに特異的な以下のプライマー及びTakaRaのExTaq polymeraseを用い、減菌蒸留水で段階希釈した被検サンプル5Μl
をtemplateDNAとして５０μLのスケール  でPCR反応によりDNAを増幅した（編成温度９４度、アニーリング温度５２度、伸長反応で、２５サイクル）。
【００３０】
次に、遺伝子レベルでの確認について説明する。
反応後、２％アガロースゲルで電気泳動して特異的な領域の増幅を確認した。
FOF1 (forward primer) 5’-ACATACCACTTGTTGCCTCG-3’
FOR1 (reverse primer) 5’-CGCCAATCAATTTGAGGAACG-3’
即ち遺伝子レベルでも被検体はフサリウム菌であることを確認した。
【実施例２】
【００３１】
本発明の銀微粒子含有溶液A液塗着面での黴菌への影響は最小発育濃度（MIC）試験にて有効性を確認する。
【００３２】
銀微粒子の溶媒をアクリルモノマー溶質に溶かした溶液のTSSC原液濃度２０００ppmであるので試験法により２０％希釈即ち濃度４００ppm、１０％希釈即ち２００ppm、５％希釈即ち１００ppm  2.5%希釈濃度５０ppm  １．２５％希釈濃度２５ppmの試験液を作り、試験片に塗着した。
【００３３】
その結果、４００ppm 200ppmでは発育をみとめられない。１００ｐｐｍ、  ５０ｐｐｍ、２５ｐｐｍでは発育をみとめられた。
即ち200ppm以上の濃度範囲で塗着した透水性不織布は対象の有害菌の発育を抑制できる。    
【産業上の利用可能性】
【００３４】
フサリウム菌の病害に悩まされている多くの蔬菜栽培者にとって、随時に、かつ無農薬で長期間に効果が維持できる本発明は生産効率の向上に利用できる。
【符号の説明】
【００３５】
（ａ）  数nmから数１０nmの銀または銅の抗菌性金属微粒子
（ｂ）  (a)を付着し多孔質微粒子B
（ｃ） （ａ）を溶かした溶液A
（ｄ） （a）と（b）を付着した厚み１０mm以下の透水性不織布
（ｅ）  浄化作業対象区域
（ f ）  対象土壌
( g )    筐体
【図１】
2018119254.tif 000003
【図２】
2018119254.tif 000004
【図３】
2018119254.tif 000005
【図４】
2018119254.tif 000006
【図５】
2018119254.tif 000007
【図６】
2018119254.tif 000008
【図７】
2018119254.tif 000009